(57)【要約】【課題】  不要なデータについて自動的に圧縮と削除を実行し、最新の放送を同時多数に記録することができる記録再生装置を提供する。【解決手段】  ハードディスクレコーダ３は複数の放送を受信して記録している。ユーザは任意の時点で保存用キーワードと消去用キーワードを設定しておく。各番組には圧縮期限と保存期限が設定されており、ハードディスクレコーダ３は所定の日時に、記録されている番組をスキャンし、圧縮および消去を実行する。また、センタサーバ２では各ハードディスクレコーダ３から受信した再生視聴情報を集計、分析して再生率情報を作成する。再生率情報を各ハードディスクレコーダ３に配信し、ハードディスクレコーダ３ではこの情報に基づいて保存する番組と圧縮、消去する番組を自動的に選択する。【選択図】  図１
2006025152.tif 000002
【特許請求の範囲】
【請求項１】
複数のテレビ放送を受信する受信部と、
受信したすべての放送を番組毎に分割して記録する番組記録部と、
記録した番組の第１の保存期限、および、第１の保存期限よりも長い第２の保存期限を記憶するとともに、消去対象とする番組のキーワードである消去キーワードを記憶する条件記憶部と、
消去キーワードに該当する番組が第１の保存期限に達したときこの番組を消去する処理を実行する処理、および、消去キーワードに該当しない番組が第２の保存期限に達したときこの番組を消去する処理を実行する制御部と、
を備えたことを特徴とする映像記録再生装置。
【請求項２】
前記制御部は、前記消去キーワードに該当しない番組が第１の保存期限に達したとき、この番組を圧縮する処理を実行する請求項１に記載の映像記録再生装置。
【請求項３】
前記条件記憶部は、保存対象とする番組のキーワードである保存キーワードを記憶し、
前記制御部は、保存キーワードに該当する番組が、第１の保存期限もしくは第２の保存期限に達したときこの番組を圧縮し、そのまま消去せずに保存する処理を実行する
請求項１または請求項２に記載の映像記録再生装置。
【請求項４】
各番組に対して個別に保護、または、消去指定する操作手段を備え、
前記制御部は、操作手段によって消去を指定された番組を前記条件記憶部に記憶されている条件にかかわらず消去し、
操作手段によって保護を指定された番組については、前記条件記憶部に記憶されている条件にかかわらず消去せずに保存する処理を実行する
請求項１、請求項２、または請求項３に記載の映像記録再生装置。
【請求項５】
複数のテレビ放送を受信する受信部と、
受信したすべての放送を番組毎に分割して記録する番組記録部と、
番組記録部に記録しているいずれかの番組を再生した時に再生視聴情報をサーバ装置に送信し、後にサーバ装置から配信される再生率情報を受信する通信手段と、
再生率情報に基づいて、番組記録部内に保存する番組、圧縮する番組、および番組記録部から消去する番組を選択する番組選択処理を実行し、圧縮する番組として選択した番組を圧縮して、消去する番組として選択した番組を消去する処理を実行する制御部と、
を備えたことを特徴とする映像記録再生装置。
【請求項６】
複数のテレビ放送を受信する受信部と、
受信したすべての放送を番組毎に分割して記録する番組記録部と、
外部から視聴率情報またはサーバ装置から配信される再生率情報を受信する通信手段と、
受信した視聴率情報または再生率情報に基づいて、番組記録部内に保存する番組、圧縮する番組、および番組記録部から消去する番組を選択する番組選択処理を実行し、圧縮する番組として選択した番組を圧縮して、消去する番組として選択した番組を消去する処理を実行する制御部と、
を備えたことを特徴とする映像記録再生装置。
【請求項７】
各番組に対して個別に保護、または、消去指定する操作手段を備え、
前記制御部は、操作手段によって消去を指定された番組を前記番組選択処理の選択結果にかかわらず消去し、
操作手段によって保護を指定された番組については、前記番組選択処理の選択結果にかかわらず消去せずに保存する処理を実行する
請求項５または請求項６に記載の映像記録再生装置。
【請求項８】
前記番組記録部に記録している番組を記録媒体に書き込む記録媒体書き込み手段を備えた請求項１乃至請求項７のいずれかに記載の映像記録再生装置。
【請求項９】
テレビ放送を受信、記録してユーザの操作によって番組を再生する複数の映像記録再生装置から再生視聴情報を受信し、後に再生率情報を配信する通信手段と、
再生視聴情報を記録する視聴情報記録部と、
再生視聴情報を分析して再生率情報を作成する制御部と、
を備えたことを特徴とするサーバ装置。
【請求項１０】
請求項５乃至請求項７のいずれかに記載の映像記録再生装置と、ネットワークを介して接続される請求項９に記載のサーバ装置からなる映像記録再生システム。
【発明の詳細な説明】
【技術分野】
【０００１】
この発明は、テレビ放送を受信、記録する映像記録再生装置、サーバ装置および映像記録再生システムに関し、特に番組の記録再生処理に関する。
【背景技術】
【０００２】
近年、ハードディスクの記録容量が大幅に拡大し、複数チャンネルのテレビ放送を受信して自動的にハードディスクに記録、保存するというレコーダが提案されている。
【０００３】
しかしながら、大容量のハードディスクであっても容量には限りがあり、複数チャンネルの番組すべてをハードディスクに記録し続けるのは困難であった。そこでユーザがキーワード等を設定して、記録する番組をある程度限定して予約しておくレコーダが主に提案されており、例えばサーバが番組属性一覧を送信し、ユーザが属性一覧をもとに記録する放送を選択するという装置が提案されている（例えば特許文献１参照）。
【特許文献１】特開２００４−０５６６３１号公報
【発明の開示】
【発明が解決しようとする課題】
【０００４】
しかし、特許文献１に記載の装置では属性から外れた番組については記録されず、ユーザが後にその他属性の番組を見たいと判断しても視聴することは不可能であった。また、ユーザが所望する番組以外の番組が多数記録されて、不要な番組を消去しなければならない手間があった。
【０００５】
この発明は、同時に複数の番組を記録し、そのなかから不要な番組について自動的に消去、または圧縮と消去を実行することができる映像記録再生装置を提供することを目的とする。
【課題を解決するための手段】
【０００６】
請求項１に記載の発明は、複数のテレビ放送を受信する受信部と、受信したすべての放送を番組毎に分割して記録する番組記録部と、記録した番組の第１の保存期限、および、第１の保存期限よりも長い第２の保存期限を記憶するとともに、消去対象とする番組のキーワードである消去キーワードを記憶する条件記憶部と、消去キーワードに該当する番組が第１の保存期限に達したときこの番組を消去する処理を実行する処理、および、消去キーワードに該当しない番組が第２の保存期限に達したときこの番組を消去する処理を実行する制御部と、を備えたことを特徴とする。
【０００７】
この発明では、同時に受信した複数のテレビ放送を番組毎に分割して記録する。同時に受信するチャンネルは単一チャンネルから全チャンネルまで任意に設定できるようにしてもよい。放送時間帯においては常に受信、記録する。または、ユーザが指定した一部の時間帯に限定して受信、記録するようにしてもよい。ユーザは任意に第１の保存期限と第２の保存期限を設定し、消去キーワードを設定しておく。消去キーワードに該当する番組は第１の保存期限で消去する。消去キーワードに該当しない番組は第２の保存期限で消去する。
【０００８】
請求項２に記載の発明は、上記発明において、前記制御部は、前記消去キーワードに該当しない番組が第１の保存期限に達したとき、この番組を圧縮する処理を実行する。
【０００９】
この発明では、消去キーワードに該当しない番組は第１の保存期限で圧縮する。
【００１０】
請求項３に記載の発明は、上記発明において、前記条件記憶部は、保存対象とする番組のキーワードである保存キーワードを記憶し、前記制御部は、保存キーワードに該当する番組が、第１の保存期限もしくは第２の保存期限に達したときこの番組を圧縮し、そのまま消去せずに保存する処理を実行する。
【００１１】
この発明では、保存キーワードを設定し、保存キーワードに該当する番組は第１の保存期限もしくは第２の保存期限で圧縮し、その後は消去しないで保存する。
【００１２】
請求項４に記載の発明は、上記発明において、各番組に対して個別に保護、または、消去指定する操作手段を備え、前記制御部は、操作手段によって消去を指定された番組を前記条件記憶部に記憶されている条件にかかわらず消去し、操作手段によって保護を指定された番組については、前記条件記憶部に記憶されている条件にかかわらず消去せずに保存する処理を実行する。
【００１３】
この発明では、記録された各番組をキーワードの該当にかかわらず、個別に消去指定する、あるいは消去しないように保護することができる。
【００１４】
請求項５に記載の発明は、複数のテレビ放送を受信する受信部と、受信したすべての放送を番組毎に分割して記録する番組記録部と、番組記録部に記録しているいずれかの番組を再生した時に再生視聴情報をサーバ装置に送信し、後にサーバ装置から配信される再生率情報を受信する通信手段と、再生率情報に基づいて、番組記録部内に保存する番組、圧縮する番組、および番組記録部から消去する番組を選択する番組選択処理を実行し、圧縮する番組として選択した番組を圧縮して、消去する番組として選択した番組を消去する処理を実行する制御部と、を備えたことを特徴とする。
【００１５】
この発明では、ユーザが番組を再生した時にその再生情報をサーバに送信して、サーバから送られてくる再生率情報を受信する。その後再生率情報を基にして、再生率の高い番組についてはハードディスク内にそのまま保存し、再生率の低い番組については圧縮または消去する。
【００１６】
請求項６に記載の発明は、複数のテレビ放送を受信する受信部と、受信したすべての放送を番組毎に分割して記録する番組記録部と、外部から視聴率情報またはサーバ装置から配信される再生率情報を受信する通信手段と、受信した視聴率情報または再生率情報に基づいて、番組記録部内に保存する番組、圧縮する番組、および番組記録部から消去する番組を選択する番組選択処理を実行し、圧縮する番組として選択した番組を圧縮して、消去する番組として選択した番組を消去する処理を実行する制御部と、を備えたことを特徴とする。
【００１７】
この発明では、外部から視聴率情報またはサーバ装置から再生率情報を受信する。その後視聴率情報または再生率情報を基にして、視聴率の高い番組あるいは再生率の高い番組についてはハードディスク内にそのまま保存し、視聴率の低い番組あるいは再生率の低い番組については圧縮または消去する。
【００１８】
請求項７に記載の発明は、上記発明において、各番組に対して個別に保護、または、消去指定する操作手段を備え、前記制御部は、操作手段によって消去を指定された番組を前記番組選択処理の選択結果にかかわらず消去し、操作手段によって保護を指定された番組については、前記番組選択処理の選択結果にかかわらず消去せずに保存する処理を実行する。
【００１９】
この発明では、記録された各番組を再生率や視聴率情報にかかわらず、個別に消去指定する、あるいは消去しないように保護することができる。
【００２０】
請求項８に記載の発明は、前記番組記録部に記録している番組を記録媒体に書き込む記録媒体書き込み手段を備えたことを特徴とする。
【００２１】
この発明では、記録している番組が圧縮される前、又は圧縮された後に消去される前に、例えばＤＶＤメディア等の記録媒体に記録して長期保存することができる。
【００２２】
請求項９に記載の発明は、テレビ放送を受信、記録してユーザの操作によって番組を再生する複数の映像記録再生装置から再生視聴情報を受信し、後に再生率情報を配信する通信手段と、再生視聴情報を記録する視聴情報記録部と、再生視聴情報を分析して再生率情報を作成する制御部と、を備えたことを特徴とする。
【００２３】
この発明では、各映像記録再生装置のユーザが番組を再生した時に、再生視聴情報を受信して集計、分析することで再生率情報を作成する。作成した再生率情報は各映像記録再生装置に配信する。
【００２４】
請求項１０に記載の発明は、上記発明において、映像記録再生装置と、ネットワークを介して接続されるサーバ装置からなることを特徴とする。
【発明の効果】
【００２５】
この発明によれば、複数の放送を番組毎に記録できるのでユーザは後に見たいと判断した番組を自由に視聴することが可能となる。
【００２６】
記録時期の古い番組は自動的に圧縮、消去されるのでハードディスクの空き容量がなくなることを防ぐことができる。また、サーバから送られてくる再生率情報を指標にすることで、大多数のユーザが見たいと判断するような重要性の高い番組は自動的に保存できる。重要性の低い番組については自動的に圧縮、または消去されることでハードディスクの空き容量がなくなることを防ぐことができる。
【発明を実施するための最良の形態】
【００２７】
図１はこの発明の実施形態である放送番組記録再生システムの構成を示す図である。このシステムではセンタサーバ１とハードディスクレコーダ３がネットワーク２を介して接続されている。センタサーバ１は各ハードディスクレコーダ３と通信することができる。ハードディスクレコーダ３は様々なテレビ放送を受信して各番組ごとに記録再生することができる。
【００２８】
図２は番組の記録、保存についてのタイムスケール図である。ユーザは任意の時点で保存用キーワードおよび消去用キーワードを登録しておく。キーワードに非該当の番組（キーワードが何も設定されていない場合はすべての番組）は日数が経ち、圧縮期限に達した時点で圧縮し、保存期限に達した時点で消去する。圧縮期限は例えば記録されてから１週間後であり、保存期限は２週間後であるとする。消去用キーワードに該当する番組は圧縮期限に達した時点で消去する。保存用キーワードに該当する番組は圧縮期限に達した時点では消去も圧縮もせずにそのまま保存し、保存期限に達した時点で圧縮するようにする。または、圧縮期限に達した時点で圧縮してその後は消去も圧縮もせずに保存しておくようにしてもよい。また、ユーザが個別の番組毎に保存、消去の指定をすることも可能である。消去の指定をされた番組はその時点で即座に消去、保存の指定をされた番組は保存用キーワードに該当する番組と同様に扱う。なお、保存の指定をされた番組を圧縮せずにそのまま保存しておくこともできる。圧縮と消去については後に詳しく述べる。
【００２９】
図３はセンタサーバ１のブロック図である。サーバ１は、ネットワーク２を介して各ハードディスクレコーダ３と通信する通信部４、センタサーバ全体の動作を制御する制御部５、および各ハードディスクレコーダ３から送信されてくるデータ等を記録するハードディスク６を有している。
【００３０】
図４はハードディスクレコーダ３のブロック図である。ハードディスクレコーダ３は、ネットワーク２を介してセンタサーバ１と通信する通信部７、ハードディスクレコーダ全体の動作を制御する制御部８、アンテナに接続することで放送を受信する受信部９、受信した放送を番組毎に記録して保存するハードディスク１０、ハードディスク１０内に記録されている番組を再生する再生部１１、および、ハードディスク１０内に記録されている番組をＤＶＤ等のメディアにコピーするＤＶＤドライブ１２を有している。受信部９は複数のチューナを備えており、複数チャンネルのテレビ放送を同時に受信することができる。さらに、各チューナは、アナログ放送を受信した場合にその放送の映像および音声をデジタルデータに変換できるようにエンコーダを備えている。デジタルデータに変換された各番組はハードディスク１０に記録されていく。ハードディスク１０への書き込み速度は全チャンネルのデータレートよりも高速である。また、記録は番組毎に１ファイルとし、ファイルヘッダには放送日時、曜日、番組名、ジャンル等が記されている。ハードディスク１０に記録されているデータ、およびＤＶＤドライブ１２内のＤＶＤメディア等のデータは再生部１１によって再生されてテレビ画面などに映し出すことができる。
【００３１】
なお、メディアおよびドライブはＤＶＤに限定せずデータ書き込みが可能であればどのようなものであってもよい。
【００３２】
図５〜図７を参照して放送番組記録再生システムの動作について説明する。図５はハードディスクレコーダ３の動作を示すフローチャートである。アンテナから放送を受信部９に受信し、それぞれの番組についてエンコーダでデジタルデータに変換する。受信部９は複数のチューナを備えているのですべてのチャンネルを同時受信することができるが、受信するテレビ放送は単一チャンネルから全チャンネルまでユーザがマニュアルで指定することができる。変換はＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）方式で圧縮して行う。変換したデータはすべてハードディスク１０に記録する（ｓ１）。放送の受信とハードディスク１０への記録については放送が行われている時間帯は常に行われている。なお、記録を行う時間帯をユーザがマニュアルで指定することもできる。
【００３３】
ユーザは任意の時点でキーワード情報を登録しておく（ｓ２）。キーワード情報は放送チャンネル、曜日、時刻、放送ジャンル、出演者、および任意の単語等を登録する。キーワードは、必要と思われる場合について設定する保存用キーワードと、不要と思われる場合について設定する消去用キーワードの２種類を設定することができる。
【００３４】
所定の日時に、制御部８は圧縮対象の番組をスキャンする（ｓ３）。圧縮対象の番組はキーワードに非該当で圧縮期限に達した番組、および保存用キーワードに該当し保存期限に達した番組である。所定の日時はユーザが装置を使用しないような時間帯が選択される（例えば毎日午前４時等）。スキャンして検出された番組について、圧縮処理を実行する（ｓ４）。圧縮は主にＭＰＥＧ２のビットレートを下げる方式で行われるが、例えばＭＰＥＧ２をＭＰＥＧ１やＭＰＥＧ４に変換する方式であってもよい。圧縮したデータはハードディスク１０に記録され、元のデータは消去される。検出されたデータをすべて圧縮するまで処理を繰り返す（ｓ５）。
【００３５】
その後、所定の日時に制御部８は消去対象の番組をスキャンする（ｓ６）。消去対象の番組は、キーワードに非該当で保存期限に達した番組、および消去用キーワードに該当し圧縮期限に達した番組である。スキャンして検出された番組について消去する（ｓ７）。検出されたすべての番組について消去するまで処理を繰り返す（ｓ８）。
【００３６】
なお、上記の自動処理以外に保存用キーワードに該当する番組の中から個別にユーザが手動で消去することもでき、消去用キーワードに該当する番組やキーワードに非該当の番組の中から個別にユーザが手動で保存設定することもできる。
【００３７】
図６はハードディスクレコーダ３の別の動作を示すフローチャートである。
【００３８】
受信部９がアンテナを介して放送を受信し、それぞれの番組についてエンコーダでデジタルデータに変換する。変換したデータはすべてハードディスク１０に記録する（ｓ９）。受信部９は複数のチューナを備えているのですべてのチャンネルを同時受信することができるが、受信するテレビ放送は単一チャンネルから全チャンネルまでユーザがマニュアルで指定することができる。放送の受信とハードディスク１０への記録については放送が行われている時間帯は常に行われている。なお、記録を行う時間帯をユーザがマニュアルで指定することもできる。
【００３９】
センタサーバ１からは定期的にネットワーク２を介して再生率情報が送信されてくるのでこれを受信する（ｓ１０）。なお、再生率情報については後に詳細に述べる。再生率情報を受信した後、制御部８にてデータ選択処理を実行する（ｓ１１）。データの選択は再生率情報に基づいて行う。ここではハードディスク残容量と各番組のデータ容量を自動的に計算してハードディスクの残容量が一定以上となるように記録されている番組の中で再生率の高い番組から優先的にハードディスクに保存するように選択する。残りの番組については、比較的再生率の高い番組については圧縮するデータとして選択し、それ以外の再生率の低い番組については消去するデータとして選択する。つまり、各番組は再生率情報によって重要度高、中、低の３種類に分類されることになり、重要度高については保存、重要度中については圧縮、重要度低については消去、という選択をすることになる。
【００４０】
その後、圧縮するデータとして選択されたデータについては制御部８にて圧縮処理が実行される。圧縮したデータはハードディスク１０に記録され、元のデータは消去される。消去するデータとして選択されたデータについては完全に消去する（ｓ１２）。データ選択処理にて選択されたデータをすべて圧縮、消去した時点で動作を終了する（ｓ１３）。
【００４１】
図７はデータ再生、集計処理を示すフローチャートである。同図（Ａ）はハードディスクレコーダ３の番組再生処理を示している。各ユーザにてハードディスク１０内に記憶されている番組を再生すると（ｓ１４）、通信部７はセンタサーバ１に再生視聴情報を送信する（ｓ１５）。再生視聴情報には、再生された放送番組名、再生された日時と再生時間、再生された端末のユーザ情報等が含まれている。
【００４２】
同図（Ｂ）はセンタサーバ１の再生視聴情報集計処理を示している。通信部４では各ハードディスクレコーダ３から随時再生視聴情報が送信されてくるので、これを受信する（ｓ１６）。受信した再生視聴情報はハードディスク６に記録していく（ｓ１７）。記録した再生視聴情報は定期的に集計を行い、分析を行う（ｓ１８）。再生視聴情報を分析することで、各番組がどの程度の回数再生されているか、どのような時間帯に再生されるのか等のデータを作成することができる。例えば地域毎、時間帯毎、ユーザ世代毎にデータベース化することができる。ここでは再生視聴情報から、各番組が再生された回数を集計して総再生回数を計算する。総再生回数の多い番組から順に再生率ランキングを作成する。このランキングを再生率情報として定期的に各ハードディスクレコーダ３へ配信する（ｓ１９）。
【００４３】
なお、サーバ１は再生視聴情報を送信しないハードディスクレコーダにも再生率情報を配信することができる。再生視聴情報を送信しないハードディスクレコーダも再生率情報を受信して再生率情報に基づいて、圧縮と消去を実行することができる。
【００４４】
以上のように本発明におけるハードディスクレコーダでは、複数の番組を同時に多数記録できるのでユーザは後に見たいと判断した番組を自由に視聴することが可能となる。記録時期の古い番組は自動的に圧縮、消去されるのでハードディスクの空き容量がなくなることを防ぐことができる。ユーザは保存しておきたい番組をキーワードによって設定でき、必要な番組は残しておくことも可能である。また、不要と判断する番組についてあらかじめキーワード設定をして消去することも可能である。
【００４５】
また、サーバから送られてくる再生率情報を指標にすることで、大多数のユーザが見たいと判断するような重要性の高い番組は自動的に保存できる。重要性の低い番組については自動的に圧縮、または消去されることでハードディスクの空き容量がなくなることを防ぐことができる。
【００４６】
なお、リサーチ会社が発表している視聴率情報をサーバが配信し、視聴率情報に基づいて上記処理を行ってもよい。視聴率と再生率の異なる点は、視聴率は放送時にリアルタイムに視聴された比率を表した情報であるのに対し、再生率は各ユーザが録画したものを再生した総数を表した情報である。
【図面の簡単な説明】
【００４７】
【図１】記録再生システムの構成を示す図
【図２】番組の記録、保存についてのタイムスケール図
【図３】センタサーバのブロック図
【図４】ハードディスクレコーダのブロック図
【図５】ハードディスクレコーダの動作を示すフローチャート
【図６】ハードディスクレコーダの別の動作を示すフローチャート
【図７】データ再生、保存処理を示すフローチャート
【符号の説明】
【００４８】
１−センタサーバ
２−ネットワーク
３−ハードディスクレコーダ
４−センタサーバの通信部
５−センタサーバの制御部
６−センタサーバのハードディスク
７−ハードディスクレコーダの通信部
８−ハードディスクレコーダの制御部
９−放送受信部
１０−ハードディスクレコーダのハードディスク
１１−データ再生部
１２−ＤＶＤドライブ
【図１】
2006025152.tif 000003
【図２】
2006025152.tif 000004
【図３】
2006025152.tif 000005
【図４】
2006025152.tif 000006
【図５】
2006025152.tif 000007
【図６】
2006025152.tif 000008
【図７】
2006025152.tif 000009